(57)【要約】      （修正有）【課題】農業用運搬装置又は産業用運搬装置で利用する懸架式クランプの把持操作を容易にする留め具機構を提供する。【解決手段】クレーン等の重機に懸架して利用するクランプと連動する一対の留め具機構であって、クランプの接触板３０が運搬物に接することで留め具機構１０に力が加わり、留め具の雄部材が作動して留め具がロック又はロック解除する。これにより、留め具のロック解除時はクランプの把持部５０が運搬物を把持して持ち上げ移動でき、運搬物を接地させると留め具がロックされて把持部が固定されることで、運搬物を再び持ち上げることなくクランプを懸架して移動させることができる。【選択図】図１
0003198218.tif 000002
【実用新案登録請求の範囲】
【請求項１】
物体を把持するための把持手段を備える懸架式クランプの動作と連動する一対の留め具機構であって、前記一対の留め具機構の一方はバネ等の伸縮材を取り付けるとともに、伸縮材による移動の範囲を一定に保つストッパ部材を備え、他方の留め具は固定された状態で一方の留め具がクランプとともに持ち上がる際にロックを解除できるように補助する部材を備え、懸架式クランプの接触板が運搬物に接するとクランプの重みにより留め具がロック又はロック解除されることを特徴とする留め具機構。
【考案の詳細な説明】
【技術分野】
【０００１】
本発明は、飼料作物等のロールベールや重量物等を把持して運搬するための懸架式クランプにおける把持部開閉を操作する留め具機構に関するものである。
【背景技術】
【０００２】
飼料作物等のロールベールの運搬には、ベールグラブを用いることが一般的であるが、近年はベールグラブよりも簡易且つ省スペースでの作業を可能にした運搬物を垂直に持ち上げる懸架式クランプが普及してきている。
懸架式クランプはクレーンとクランプの間にホイスト秤を挟むことで、ロールベール等の運搬物の重さを持ち上げと同時に計量することができ、運搬物の出荷時に重さに応じて対価支払額を算出する場合等に、計量・運搬が同時に行うことができ実用的である。
【０００３】
しかし、懸架式クランプは運搬物を把持して持ち上げるために把持部を固定している留め具のロックを解除する必要があり、運搬物持ち上げの都度、クランプに取り付けられている留め具を解除する作業員を必要とする。
計量を伴わない運搬作業にあっては、運搬物の積み下ろしを１人の作業員で行うことが多く、留め具のロック解除の煩わしさから普及の妨げとなっている。
【０００４】
この改善策として、リモコン付きクレーンを用いて作業することが考案されているが、フォークリフト等、他の懸架装置では利用できず普及に至っていない。
【先行技術文献】
【特許文献】
【０００５】
【特許文献１】実開平７−３０２７５号公報
【非特許文献】
【０００６】
【非特許文献１】喜田環樹、松尾守展、重田一人共著「懸架式ロールベール用クランプ」  新農林社発行  『機械化農業』収録  ２００７年１１月号
【考案の概要】
【考案が解決しようとする課題】
【０００７】
解決しようとする問題点は、懸架式クランプにおける把持部開閉を運搬物持ち上げの都度、作業員が把持部を固定する留め具を解除する煩わしさがある点である。
【課題を解決するための手段】
【０００８】
本考案は、クレーン等の重機に懸架して利用するクランプと連動する一対の留め具機構であって、クランプの接触板が運搬物に接することで一対の留め具機構に力が加わり、留め具がロック状態から解除状態又は解除状態からロック状態に作動することを特徴とする。
【考案の効果】
【０００９】
本考案の留め具機構を取り付けた懸架式クランプにより、１人の作業員がクレーン、フォークリフト等の操作でクランプを上下させるのみで運搬物の積み下ろし作業を簡便に行うことができる利点がある。
【図面の簡単な説明】
【００１０】
【図１】図１は留め具機構を取り付けた懸架式クランプの全体図である。
【図２】図２は留め具機構を取り付けた懸架式クランプの接触板が運搬物に接して留め具機構がロック状態から解除状態となる説明図である。
【図３】図３は留め具機構を取り付けた懸架式クランプの留め具が解除され、クランプの吊り上げにより把持部が運搬物を把持して運搬物持ち上げている説明図である。
【図４】図４は留め具機構の全体図である。
【図５Ａ】図５Ａは留め具機構の動作を示す説明図である。
【図５Ｂ】図５Ｂは留め具機構の動作を示す説明図である。
【考案を実施するための形態】
【００１１】
以下に、本考案を図面により詳しく説明する。
【実施例１】
【００１２】
図１は、本考案の留め具機構１０を備えた懸架式クランプの全体図であって、留め具がロック状態であることにより、クランプが開口した状態で固定され、ロールベール等の運搬物を把持せずに懸架式クランプをクレーン等で移動できることを示す。
【００１３】
図２及び図３は、本考案である留め具機構１０を備えた懸架式クランプの全体図であって、ロックが解除状態になることで、把持部でロールベール等の運搬物を把持してクレーン等で持ち上げることが出来ることを示す。図２は、懸架したクランプ２０を、クランプの接触板３０がロールベール４０の上面に接するまで降下させることで、クランプ２０の重みが留め具機構１０に加わり、留め具がロック状態からロック解除状態へと切り替わる状態である。又、図３は、留め具が解除状態でクランプを持ち上げることで把持部５０がロールベール４０を挟み込み、運搬物であるロールベール４０を把持して垂直に持ち上げた状態である。
【００１４】
尚、クレーン等で運搬物であるロールベール４０を移動させた後、運搬物であるロールベール４０を降下させ、ロールベール４０が地面等に接地後さらに接触板３０がロールベール４０の上面に接するまでクランプを降下させると、クランプの重さで留め具が解除された状態からロック状態に戻ることで、再びクランプを吊り上げてもクランプが開口した状態で固定されているため、ロールベール４０を持ち上げることなく懸架式クランプを移動することができる。
【００１５】
図４は、図１の留め具機構１０を拡大した留め具本体の全体図であって、雄部材６０と雌部材７０が一対となり、ロック状態となっていることを示す。雄部材６０は振り子様に可動するようクランプにネジ留めされ、伸縮材８０及びスットパ９０により可動範囲を固定され、雌部材７０は雄部材６０の可動に併せて上下する補助レバー１００を備えている。
【００１６】
図５Ａ及び図５Ｂは、留め具機構がロック状態からロック解除される動作を示している。クランプの接触板が運搬物に接することで留め具にクランプの重みが矢印ａ方向に加わり、雄部材６０は雌部材７０に備わる補助レバー１００によって滑るように下がり、雌部材７０から解放される（図５Ａ左）。又、雄部材６０が矢印ａ方向に下がると雄部材６０とつながる伸縮材８０は伸長状態となり、雄部材６０が雌部材７０から解放されることで伸縮材８０が収縮する力によって雄部材６０を上方に持ち上げる。この持ち上げ時に、補助レバー１００は雌部材７０と雄部材６０がロック状態とならないよう雄部材６０と接すると上方に持ち上げり、雌部材７０の結合部７０ａを塞ぐことで、雄部材６０が確実に上方に引き上げられるよう補助する（図５Ａ右）。伸縮材８０の収縮で持ち上がる雄部材６０はストッパ９０によって適切な位置で固定される（図５Ｂ）。
【産業上の利用可能性】
【００１７】
クレーン等の重機に懸架して利用するクランプと連動する留め具を用いて、クランプを上下させるのみで簡便に留め具のロック又はロック解除の操作ができ、クレーン操作者がクランプの把持部で運搬物を把持させて運搬物の積み下ろし作業を行うことに不可欠な用途にも適用できる。
【符号の説明】
【００１８】
１０    留め具機構
２０    クランプ
３０    接触板
４０    ロールベール
５０    把持部
６０    雄部材
７０    雌部材
７０ａ  雌部材結合部
８０    伸縮材
９０    ストッパ
１００  補助レバー
【図１】
0003198218.tif 000003
【図２】
0003198218.tif 000004
【図３】
0003198218.tif 000005
【図４】
0003198218.tif 000006
【図５Ａ】
0003198218.tif 000007
【図５Ｂ】
0003198218.tif 000008